(57)【要約】【課題】牽制アームをロック機構で自動ロックでき、しかも、ロック機構のロック解除具およびロック体の可逆切り換えを規制して、使用者の勘違いやいたずらによって窓開放機能が損なわれるのを一掃できる窓換気用のステーを提供する。【解決手段】牽制アーム４と、牽制アーム４のスライドピン５を案内するガイド枠６と、スライドピン５をロックするロック機構と、ロック解除具７とを備えている。ロック機構はスライドピン５を係合捕捉するロック体３３を備えている。ロック機構は、スライドピン５がガイド溝１２に沿って閉じ位置から換気位置へ移動するときのスライド動作でのみ、ロック体３３をロック状態に切り換え可能に構成する。さらに、ロック解除具７をロック解除状態に切り換える状態でのみ、ロック体３３をロック解除状態に切り換え可能に構成する。以て、ロック解除具７およびロック体３３のそれぞれを可逆切り換え不能に構成する。【選択図】図１
2010116696.tif 000002
【特許請求の範囲】
【請求項１】
窓（２）が換気位置を越えて開放されるのを規制する牽制アーム（４）と、牽制アーム（４）の室内側端に組み付けたスライドピン（５）をスライド案内するガイド枠（６）と、スライドピン（５）を換気位置において閉じスライド不能にロックするロック機構とを備えている窓換気用のステーであって、
ガイド枠（６）には、スライドピン（５）をスライド案内するガイド溝（１２）と、前記ロック機構と、ロック機構をロック解除状態に切り換えるロック解除具（７）とが設けられており、
ロック機構はスライドピン（５）を係合捕捉するロック体（３３）を備えており、
ロック機構は、スライドピン（５）がガイド溝（１２）に沿って閉じ位置から換気位置へ移動するときのスライド動作でのみ、ロック体（３３）をロック状態に切り換え可能に構成され、
かつ、ロック解除具（７）をロック解除状態に切り換える状態でのみ、ロック体（３３）をロック解除状態に切り換え可能に構成されており、
ロック解除具（７）およびロック体（３３）のそれぞれが可逆切り換え不能に構成してあることを特徴とする窓換気用のステー。
【請求項２】
ロック機構が、ロック解除具（７）で揺動操作される第１レバー（３１）と、第１レバー（３１）に連動して揺動操作される第２レバー（３２）と、第２レバー（３２）のロック解除動作に連動してロック解除状態に切り換わるロック体（３３）と、第２レバー（３２）およびロック体（３３）を揺動付勢するロックばね（３４）とを含み、
ロック体（３３）は、スライドピン（５）を捕捉するロック凹部（４４）を備えていて、ロック凹部（４４）がガイド溝（１２）の換気端に臨む状態で配置されており、
第２レバー（３２）とロック体（３３）の隣接周縁に、ロック状態においてロック体（３３）がスライドピン（５）でロック解除方向へ揺動操作されるのを規制する第１・第２の規制部（３９・４０）と、ロック解除状態において第２レバー（３２）がロック解除具（７）で第１レバー（３１）を介してロック方向へ揺動操作されるのを規制する第３・第４の規制部（４１・４２）とが形成されており、
これら各規制部（３９〜４２）でロック機構が可逆切り換え不能に構成してある請求項１に記載の窓換気用のステー。
【請求項３】
ロック機構が、ロック解除具（７）で揺動操作される第２レバー（３２）と、第２レバー（３２）のロック解除動作に連動してロック解除状態に切り換わるロック体（３３）と、第２レバー（３２）およびロック体（３３）を揺動付勢するロックばね（３４）とを含み、
ロック体（３３）は、スライドピン（５）を捕捉するロック凹部（４４）を備えていて、ロック凹部（４４）がガイド溝（１２）の換気端に臨む状態で配置されており、
第２レバー（３２）とロック体（３３）の隣接周縁に、ロック状態においてロック体（３３）がスライドピン（５）でロック解除方向へ揺動操作されるのを規制する第１・第２の規制部（３９・４０）と、ロック解除状態において第２レバー（３２）がロック解除具（７）で第１レバー（３１）を介してロック方向へ揺動操作されるのを規制する第３・第４の規制部（４１・４２）とが形成されており、
これら各規制部（３９〜４２）でロック機構が可逆切り換え不能に構成してある請求項１に記載の窓換気用のステー。
【請求項４】
ロック状態において、第１・第２の両規制部（３９・４０）が接当して、ロック体（３３）がロック解除方向へ変位するのを規制しており、
ロック機構がロック解除具（７）でロック解除状態に切り換えられる過程において、第１規制部（３９）の側端が第２規制部（４０）を乗り越えるのと同時に、ロック体（３３）がロックばね（３４）の付勢力でロック解除方向へ急速に揺動操作されて、スライドピン（５）がロック体（３３）の受動部（４４ａ）で、ガイド溝（１２）の換気端から遠ざかる向きへ強制的に跳ね出し操作される請求項２または３に記載の窓換気用のステー。
【請求項５】
ロックばね（３４）が、第２レバー（３２）とロック体（３３）とに掛止した１個の引っ張りばねで構成されており、
ロック解除状態において、ロック体（３３）がガイド枠（６）に設けたストッパー（４６）で受け止められて、ロック体（３３）の受動部（４４ａ）がガイド溝（１２）の換気端に臨む状態で位置決めしてある請求項２、３または４に記載の窓換気用のステー。
【請求項６】
ガイド枠（６）に、スライドピン（５）の出入りを許す組付穴（１８）と、組付穴（１８）に連続する直線状のガイド溝（１２）とが形成されており、
ガイド溝（１２）の溝長さ（Ｌ）が、窓（２）を閉じ位置と換気位置との間で開閉するときのスライドピン（５）のスライドストロークより大きく設定されており、
窓（２）を閉じた状態において、スライドピン（５）が組付穴（１８）の近傍においてガイド溝（１２）と係合する状態で、ガイド枠６が開口枠（１）に固定してある請求項２、３、４または５に記載の窓換気用のステー。
【発明の詳細な説明】
【技術分野】
【０００１】
本発明は、換気開放した窓をロック保持して、窓が風に煽られて閉じるのを防止できる窓換気用のステーに関する。
【背景技術】
【０００２】
この種の窓換気用のステーは特許文献１に公知である。そこでは、ロック構造を備えたガイド枠が開口枠に固定してあり、窓を閉じ位置から換気位置へ開放操作するだけで、牽制アームに固定したロックピンをロック構造で自動的にロック保持できる。また、ガイド枠に設けたロック解除レバーをロック解除位置へ変位操作すると、ロックピンをロック解除して窓を閉じ操作でき、このときのロックピンの移動動作を利用してロック解除レバーをロック位置へリセットできる。
【０００３】
ガイド枠には、牽制アームを上下に切り換え操作する切換え具が設けてあり、切換え具に固定した連結ピンで牽制アームが室内外へ揺動可能に軸支してある。先のロックピンは、牽制アームの上端に固定してある。牽制アームの室外側の端部には係合ピンが固定してあり、係合ピンは窓の開先に固定した掛止枠でスライド可能に案内してある。切換え具を上側の換気位置へ切り換えた状態では、牽制アームの係合ピンを掛止枠に連結して、窓を換気位置で開放規制でき、切換え具を下側の全開放位置に切り換えた状態では、係合ピンと掛止枠との連結状態を解除して、窓を全開放操作できる。
【０００４】
ガイド枠には、上下方向のスライド溝と、スライド溝の上端に連続して斜め下向きに折れ曲がる部分円弧状のロック溝とが形成してあり、ロック溝の溝端においてロックピンをロック構造でロック保持できる。牽制アームには、ロックピンとは別にスライドピンが設けてあり、このスライドピンはスライド溝で上下スライドのみ可能にスライド案内してある。切換え具が全開放位置に切り換えられた状態では、ロックピンはスライドピンと共にスライド溝内に位置している。
【０００５】
【特許文献１】特開２００８−２０２２６４号公報（段落番号００３８、図１）
【発明の開示】
【発明が解決しようとする課題】
【０００６】
特許文献１の窓換気用のステーは、窓を換気開放するだけでロックピンを自動ロックでき、さらに、窓を閉じ操作するだけでロック解除レバーをロック位置へリセットできる。しかし、切換え具が全開放位置側へ切り換えられた状態では、ロック解除レバーを自由に切り換え操作することができる。そのため、使用者の勘違いやいたずらによって、ロック解除レバーがロック解除位置へ切り換えられた状態において、窓を換気位置へ開放できなくなることがある。
【０００７】
詳しくは、切換え具を全開放位置側へ切り換えた状態では、ロックピンがガイド溝内に位置しているので、ロック解除レバーを自由に切り換えることができる。そのため、ロック解除レバーをロック解除位置へ切り換えた状態のままで、切換え具が換気位置側へ戻された場合に問題がある。この状態では、ロック体のリセット片がロック溝の入口を塞いでいる。そのため、切換え具を換気位置側へ戻したとしても、リセット片が邪魔になってロックピンをロック溝内へ導入できず、その結果、窓を開放できなくなるからである。
【０００８】
上記の状況は、窓を閉じ、切換え具を一旦全開放位置側へ切り換え、ロック解除レバーをロック位置へ戻し、切換え具を再び換気位置側へ戻すことで簡単に解消できる。しかし、一連の手順が煩雑であるため、使用者によっては機能不全を解消できず、ステー全体が故障したと勘違いされるおそれがある。こうした機能不全は、使用者の誤使用が原因とは言え、窓換気用のステーの使い勝手を向上するうえで改善が望まれる。
【０００９】
本発明の目的は、牽制アームをロック機構でロック保持して、換気開放した窓が風に煽られて閉じるのを確実に防止でき、しかも、ロック機構のロック解除具およびロック体の可逆切り換えを規制して、使用者の勘違いやいたずらによって窓開放機能が損なわれるのを一掃でき、全体として使い勝手に優れ、常に適正に換気を行なえる窓換気用のステーを提供することにある。
【課題を解決するための手段】
【００１０】
本発明に係る窓換気用のステーは、窓２が換気位置を越えて開放されるのを規制する牽制アーム４と、牽制アーム４の室内側端に組み付けたスライドピン５をスライド案内するガイド枠６と、スライドピン５を換気位置において閉じスライド不能にロックするロック機構とを備えている。ガイド枠６には、スライドピン５をスライド案内するガイド溝１２と、前記ロック機構と、ロック機構をロック解除状態に切り換えるロック解除具７とが設けてある。ロック機構はスライドピン５を係合捕捉するロック体３３を備えている。ロック機構は、スライドピン５がガイド溝１２に沿って閉じ位置から換気位置へ移動するときのスライド動作でのみ、ロック体３３をロック状態に切り換え可能に構成する。さらに、ロック解除具７をロック解除状態に切り換える状態でのみ、ロック体３３をロック解除状態に切り換え可能に構成する。以て、ロック解除具７およびロック体３３のそれぞれが可逆切り換え不能に構成してあることを特徴とする。
【００１１】
ロック機構は、ロック解除具７で揺動操作される第１レバー３１と、第１レバー３１に連動して揺動操作される第２レバー３２と、第２レバー３２のロック解除動作に連動してロック解除状態に切り換わるロック体３３と、第２レバー３２およびロック体３３を揺動付勢するロックばね３４とを含む。ロック体３３は、スライドピン５を捕捉するロック凹部４４を備えていて、ロック凹部４４がガイド溝１２の換気端に臨む状態で配置する。第２レバー３２とロック体３４の隣接周縁に、ロック状態においてロック体３３がスライドピン５でロック解除方向へ揺動操作されるのを規制する第１・第２の規制部３９・４０と、ロック解除状態において第２レバー３２がロック解除具７で第１レバー３１を介してロック方向へ揺動操作されるのを規制する第３・第４の規制部４１・４２とを形成する。以て、各規制部３９〜４２でロック機構を可逆切り換え不能に構成する。
【００１２】
ロック機構は、図１３に示すように構成することができる。その場合のロック機構は、ロック解除具７で揺動操作される第２レバー３２と、第２レバー３２のロック解除動作に連動してロック解除状態に切り換わるロック体３３と、第２レバー３２およびロック体３３を揺動付勢するロックばね３４とを含んで構成できる。ロック体３３は、スライドピン５を捕捉するロック凹部４４を備えていて、ロック凹部４４がガイド溝１２の換気端に臨む状態で配置する。第２レバー３２とロック体３３の隣接周縁に、ロック状態においてロック体３３がスライドピン５でロック解除方向へ揺動操作されるのを規制する第１・第２の規制部３９・４０と、ロック解除状態において第２レバー３２がロック解除具７で第１レバー３１を介してロック方向へ揺動操作されるのを規制する第３・第４の規制部４１・４２とを形成する。以って、各規制部３９〜４２でロック機構を可逆切り換え不能に構成する。
【００１３】
ロック状態において、第１・第２の両規制部３９・４０が接当して、ロック体３３がロック解除方向へ変位するのを規制している。ロック機構がロック解除具７でロック解除状態に切り換えられる過程において、第１規制部３９の側端が第２規制部４０を乗り越えるのと同時に、ロック体３３がロックばね３４の付勢力でロック解除方向へ急速に揺動操作されて、スライドピン５をロック体３３の受動部４４ａでガイド溝１２の換気端から遠ざかる向きへ強制的に跳ね出し操作する。
【００１４】
ロックばね３４は、第２レバー３２とロック体３３とに掛止した１個の引っ張りばねで構成する。ロック解除状態において、ロック体３３をガイド枠６に設けたストッパー４６で受け止めて、ロック体３３の受動部４４ａがガイド溝１２の換気端に臨む状態で位置決めする。
【００１５】
ガイド枠６に、スライドピン５の出入りを許す組付穴１８と、組付穴１８に連続する直線状のガイド溝１２とを形成する。ガイド溝１２の溝長さＬは、窓２を閉じ位置と換気位置との間で開閉するときのスライドピン５のスライドストロークより大きく設定する。窓２を閉じた状態において、スライドピン５が組付穴１８の近傍においてガイド溝１２と係合する状態で、ガイド枠６を開口枠１に固定する。
【発明の効果】
【００１６】
本発明においては、牽制アーム４と、スライドピン５を移行案内するガイド枠６と、スライドピン５を換気位置においてロック保持するロック機構と、ロック機構をロック解除操作するロック解除具７などで窓換気用のステーを構成した。このように、スライドピン５を換気位置でロックするロック機構を備えたステーによれば、窓２を閉じ位置から換気位置まで開放するだけで、スライドピン５をロック機構で自動的にロック保持して、使用者の知識の有無とは無関係に、窓２を換気位置に開閉不能にロックできる。また、風であおられるような状況であっても、スライドピン５が閉じ側へ移動するのを確実に阻止して、窓２を換気位置に確実に保持できる。
【００１７】
また、ロック機構はスライドピン５が換気位置へ移動するときのスライド動作でのみ、ロック体３３をロック状態に切り換え可能とした。さらに、ロック解除具７をロック解除状態に切り換える状態でのみ、ロック体３３をロック解除状態に切り換え可能として、ロック解除具７およびロック体３３のそれぞれを可逆切り換え不能に構成した。
【００１８】
このように、ロック解除具７およびロック体３３が可逆切り換え不能に構成してあると、ロック機構はロック状態とロック解除状態とに択一的に切り換えできるだけで、切り換え動作が大幅に単純化される。そのため、使用者の勘違いやいたずらによって窓開放機能が損なわれる余地がなく、全体として使い勝手に優れ、常に適正に換気を行なえる窓換気用のステーとすることができる。さらにロック機構は、ロック状態とロック解除状態とに循環的に切り換わるしかないので、建物の外部から操作して窓２が全開されるのを阻止して防犯性を向上できる。
【００１９】
第１レバー３１と、第２レバー３２と、ロック体３３と、ロックばね３４などでロック機構を構成し、第２レバー３２とロック体３４の隣接周縁に形成した第１〜第４の規制部３９〜４２でロック機構を可逆切り換え不能とするので、可逆切り換えを阻止するための構造を簡素化しながら、動作不良を生じる余地のない信頼性に優れた構造とすることができる。
【００２０】
ロック機構を第２レバー３２と、ロック体３３と、ロックばね３４などで構成し、第２レバー３２をロック解除具７で直接ロック解除操作できるように構成すると、第１レバー３１を省略し、さらにロック解除具７を簡素化して、窓用換気ステーの全体構造を簡素化しコストを削減できる。さらに、第２レバー３２とロック体３４の隣接周縁に形成した第１〜第４の規制部３９〜４２でロック機構を可逆切り換え不能として、可逆切り換えを阻止するための構造を簡素化して、動作不良を生じる余地のない信頼性に優れた構造とすることができる。
【００２１】
ロック解除過程において、ロック体３３をロックばね３４でロック解除方向へ急速に揺動操作して、スライドピン５をロック体３３の受動部４４ａで強制的に跳ね出し操作するロック機構によれば、ロック解除されたスライドピン５がロック体３３で再び係合捕捉されるのを確実に防止して、窓２を確実に閉じ操作できる。また、ロック解除具７を切り換え操作するだけのワンタッチ動作で、ロック機構を確実にロック解除操作して、速やかに窓２を閉じ操作できる利点もある。
【００２２】
第２レバー３２とロック体３３とに掛止した１個の引っ張りばねでロックばね３４を構成すると、第２レバー３２とロック体３３をそれぞれ専用のロックばねで付勢する場合に比べて、ロック機構の構造を簡素化してコストを削減できる。また、ロック解除状態において、ロック体３３をガイド枠６のストッパー４６で受け止めて位置決めすることにより、受動部４４ａをガイド溝１２の換気端に一定姿勢で臨ませることができる。したがって、窓開放時におけるロック凹部４４によるスライドピン５の捕捉を常に確実に行なって、ロック機構の信頼性をさらに向上できる。
【００２３】
ガイド溝１２の溝長さＬを、窓２を開閉するときのスライドピン５のスライドストロークより大きく設定し、窓閉じ状態において、スライドピン５が組付穴１８の近傍においてガイド溝１２と係合する状態で、ガイド枠６を開口枠１に固定すると、スライドピン５が組付穴１８に入り込むのを規制できる。このように、窓閉じ状態においてスライドピン５が組付穴１８に入り込むのを規制すると、窓２が風に煽られて急激に閉じる場合であっても、スライドピン５が組付穴１８から抜け出るのを確実に防止して、窓２が使用者の意図とは無関係に全開放するのを防止できる。また、ガイド枠６あるいは牽制アーム４の装着位置に若干のずれがあったとしても、換気用ステーを問題なく機能させることができる。
【００２４】
上記以外に、本発明の窓換気用のステーによれば、既存の窓に対して本発明のステーを容易に追加施工して、窓２の開量調整機能を強化できる。また、幅寸法が大きな窓２の左右両側に窓換気用のステーが設けてある場合でも、牽制アーム４のロック状態を片方ずつ的確に解除して、一人の使用者のみで窓２を的確に閉じ操作でき、使い勝手に優れた窓換気用のステーとすることができる。とくに、日常的に強い風を受ける中高層住宅の窓２に適用するのに好適な窓換気用のステーが得られる。
【発明を実施するための最良の形態】
【００２５】
（実施例）  図１ないし図１１は本発明に係る窓換気用のステーの実施例を示す。図２において、符号１は開口枠、符号２は窓である。開口枠１および窓２の窓枠は、それぞれアルミニウム条材あるいはプラスチック条材を四角枠状に組んで構成してある。窓２は図示していないヒンジで支持されて揺動開閉でき、窓２を閉じた状態ではハンドル錠３で開放不能に固定できる。窓２が換気位置を越えて開放されるのを規制するために、開口枠１の縦枠と、窓枠の揺動先端（開先）側の縦枠との間に、本発明に係る窓換気用のステーを配置する。
【００２６】
窓換気用のステーは、牽制アーム４と、牽制アーム４の室内側端に組み付けたスライドピン５をスライド案内するガイド枠６と、スライドピン５を換気位置において閉じスライド不能にロックするロック機構と、ロック機構をロック解除状態に切り換えるロック解除ノブ（ロック解除具）７などで構成する。ロック機構とロック解除具７はガイド枠６に組み付けてある。
【００２７】
ガイド枠６は、ステンレス板材製のベース１０とカバー１１とで縦長の中空ケース状に形成してある。カバー１１には、牽制アーム４の室内側端に装着したスライドピン５を案内するガイド溝１２と、ロック解除具７用の操作窓１３などが形成してある。図３に示すように、ガイド溝１２の溝長さＬは、窓２を閉じ位置と換気位置との間で開閉するときのスライドピン５のスライドストロークより大きく設定してある。ベース１０には、ロック解除具７を上下スライド自在に案内するスライド溝１４が形成され、その板面に後述するレバーを軸支する３個の揺動軸１５〜１７と、２個の締結ボス、および４個のかしめピンなどがそれぞれ固定してある。ガイド溝１２の下端（閉じ端）にはスライドピン５に設けたフランジ２３の出入りを許す組付穴１８が形成してある。
【００２８】
図３に示すように、牽制アーム４は両端が丸められたステンレス製の帯板状のプレス金具からなり、その屋外端が窓２の開先に固定した締結枠２１に揺動ピン２２を介して連結され、屋内端に丸軸状のスライドピン５がかしめ固定してある。締結枠２１と揺動ピン２２とは相対傾動でき、これにより窓２が換気位置へ開放されたとき、開口枠１と締結枠２１が非平行になるのを吸収できる（図２参照）。スライドピン５の突端には、ガイド溝１２の溝幅より大径の抜止用のフランジ２３が形成してある。スライドピン５はガイド枠６の組付穴１８からガイド溝１２に組み付ける。これによりスライドピン５は、窓２が閉じ位置から換気位置まで開放される動作に追随して、ガイド溝１２の閉じ端側から上端の換気端まで上昇スライドする。
【００２９】
スライドピン５をガイド溝１２の換気端において、閉じ端側へ復帰移動不能にロックするために、ガイド枠６の内部にロック機構を配置し、さらにロック解除ノブ７を組み付けている。図４においてロック解除ノブ７は、ベース１０で上下スライドのみ可能に案内支持されるプラスチック製のベースブロック２５と、ベースブロック２５をロック方向（図１では上向き）に移動付勢する付勢ばね２６と、ベースブロック２５に連結される操作ノブ２７を主な構成部材にして構成する。操作ノブ２７は、ステンレス薄板を階段状に折り曲げて形成したアーム体２７ａと、アーム体２７ａ室内側の端部に固定されるプラスチック製の操作つまみ２７ｂとで構成する。
【００３０】
図６に示すように、アーム体２７ａは、上下一対のかしめピン２８でブッシュ２９と共にベースブロック２５に締結固定してある。ブッシュ２９をベース１０のスライド溝１４でスライド案内し、さらに、ベースブロック２５をベース１０とカバー１１とで挟み保持することにより、ロック解除ノブ７はガイド枠６で上下スライド可能に支持される。付勢ばね２６の下端側は、ベース１０に折り起こした受爪３０で支持する。ガイド枠６を開口枠１に組み付けた状態においては、アーム体２７ａが開口枠１に装着したシール体８を一部弾性変形させて、操作つまみ２７ｂを室内側に露出させている（図６参照）。
【００３１】
ロック機構は、ロック解除ノブ７で揺動操作される第１レバー３１と、第１レバー３１に連動して揺動操作される第２レバー３２と、第２レバー３２のロック解除動作に連動してロック解除状態に切り換わるロック体３３と、第２レバー３２およびロック体３３を同時に揺動付勢するロックばね３４などで構成する。第１レバー３１と第２レバー３２は、ピン３６で連動可能に連結するが、ロック機構を可逆切り換え不能に構成するために、第２レバー３２とロック体３３とはピン連結していない。
【００３２】
図１および図４に示すように、第１レバー３１はＶ字状のレバーからなり、その一方のレバー腕がベースブロック２５に形成した長穴にピン３５で連結され、他方のレバー腕に形成した長穴が第２レバー３２にピン３６で連結してある。第１レバー３１は、その屈曲部分が揺動軸１５で軸支されて、ロック解除ノブ７の上下スライドに連動して上下に揺動できる。第２レバー３２は上下に長い一文字状のレバーからなり、その下端寄り一側にばね掛部３８が突設してある。第２レバー３２は、その下端寄りが揺動軸１６で軸支されて左右に揺動でき、レバーの下端には第１規制部３９と第３規制部４１とが形成してある。第１・第３の両規制部３９・４１は、それぞれ直線状の平坦面で形成されて、鈍角状に屈折する状態で逆へ字状に連続している。
【００３３】
ロック体３３の一側には、スライドピン５を捕捉する横臥Ｕ字状のロック凹部４４が形成され、他側にばね掛部４５が形成してある。ロック凹部４４が形成してある側のレバー板面は、ばね掛部４５が形成してある側の板面よりカバー１１側へ接近する状態で階段状に折り曲げてある（図７参照）。ロック体３３の上部には、先の第１規制部３９で受け止められる第２規制部４０が形成され、第２規制部４０の左側端に連続して第３規制部４１を受け止める第４規制部４２が部分円弧状に膨出形成してある。また、第２規制部４０の右側端に連続して、第３規制部４１で受け止められる逃げ面４３が形成してある。第２規制部４０と逃げ面４３とは、第１、第３の両規制部３９・４１と同様に、それぞれ直線状の平坦面で形成されて、鈍角状に屈折する状態で逆へ字状に連続している。
【００３４】
ロック体３３は、その上部寄りで逃げ面４３の近傍が揺動軸１７で軸支されて、上下に揺動でき、その間にスライドピン５がロック凹部４４に出入りする。ばね掛部４５の突端には、ガイド枠６のストッパー４６で受け止められる接当面４７が形成してある。第２レバー３２のばね掛部３８と、ロック体３３のばね掛部４６とに、引っ張りばねからなるロックばね３４が掛止してある。これにより、第２レバー３２は揺動軸１６を中心にして反時計回転方向（ロック方向）へ、ロック体３３は揺動軸１７を中心にして時計回転方向（ロック解除方向）へ、それぞれ同時に揺動付勢される。
【００３５】
上記のように構成されるロック機構およびロック解除ノブ７をベース１０に組み付け、カバー１１を４個のかしめピンでかしめ固定することにより、ガイド枠６を１個のユニット部品として構成することができる。この状態のガイド枠６と牽制アーム４は、それぞれ開口枠１と窓２の所定位置に締結する。
【００３６】
詳しくは、ガイド枠６と牽制アーム４が連結された締結枠２１のいずれか一方を、開口枠１あるいは窓２に組み付けた後、スライドピン５をガイド溝１２の換気端に位置させた状態で他方の位置決めを行なって固定する。これにより一連の取り付け作業をより簡単にしかも正確に行なうことができる。ガイド溝１２の溝長さＬはスライドピン５のスライドストロークより大きく設定してある。そのため、窓２を閉じ状態では、図８に示すようにスライドピン５を組付穴１８の近傍においてガイド溝１２と係合させて、スライドピン５が組付穴１８に入り込むのを規制できる。
【００３７】
上記のように、窓閉じ状態においてスライドピン５が組付穴１８に入り込むのを規制すると、スライドピン５がロック解除操作されて、窓２が風に煽られて急激に閉じる場合であっても、スライドピン５が組付穴１８から抜け出るのを確実に規制できる。したがって、窓２が使用者の意図とは無関係に全開放するのを防止できる。また、ガイド枠６あるいは牽制アーム４の装着位置に若干のずれがあったとしても、換気用ステーを問題なく機能させることができる。
【００３８】
次に、ロック機構の動作の詳細を説明する。窓２が閉じ操作されて、ロック機構がロック解除状態にあるときは、図８に示すようにロック解除ノブ７は下方のロック解除位置にあり、第１レバー３１および第２レバー３２は図９に示す状態になっている。ロック体３３は、接当面４７がストッパー４６で受け止められて位置決めされており、ロック凹部４４は斜め下向きに傾斜して、その上側に形成した受動部４４ａのみがガイド溝１２の換気端に臨んでいる。スライドピン５は、組付穴１８より上側でガイド溝１２と係合している。
【００３９】
上記の状態では、図９に示すように第２レバー３２の第３規制部４１がロック体３３の第４規制部４２で受け止められている。そのため、ロック解除ノブ７をロック位置側へ押し上げ操作して、第１レバー３１で第２レバー３２を反時計回転方向へ揺動操作しようとしても、第２レバー３２はロック体３３が邪魔になって揺動することができない。つまり、ロック解除ノブ７を押し下げて一端ロック解除操作してしまうと、ロック解除ノブ７を逆操作してロック位置へ戻すことはできず、したがってロック解除ノブ７は可逆切り換え不能となる。
【００４０】
上記の状態のロック機構は、スライドピン５がガイド溝１２に沿って換気位置へ移動するときのスライド動作によってのみ、ロック体３３をロック状態に切り換えることができる。閉じ状態の窓２を開放操作すると、牽制アーム４の上端が窓２に同行して室外側へ引き出され、同時にスライドピン５がガイド溝１２に案内されて上昇移動する。そして、スライドピン５がガイド溝１２の換気位置の直前まで移動すると、ガイド溝１２に臨んでいるロック凹部４４の受動部４４ａにスライドピン５が接当して、ロック体３３を反時計回転方向へ揺動する。その結果、スライドピン５は図９に示すように、ロック凹部４４で捕捉されながら、ロック体３３をロックばね３４の付勢力に抗してロック状態に切り換える。
【００４１】
このとき、ロック体３３側の第４規制部４２は、第２レバー３２の第３規制部４１に対して滑り移動しながら第２レバー３２をロック姿勢に切り換えるが、第４規制部４２が部分円弧状に形成してあるので、ロック体３３および第２レバー３２の姿勢切り換えを円滑に行なえる。第４規制部４２が第３規制部４１を第１規制部３９側へ乗り越えると、第２レバー３２はロックばね３４、および付勢ばね２６の付勢力によって急速に反時計回転方向へ揺動し、図１に示すように、その第１規制部３９が第２規制部４０と接当してロック状態に切り換わる。
【００４２】
つまり、窓２を換気開放するだけで、スライドピン５をロック体３３で自動的にロック保持できる。第２レバー３２のロック状態への復帰動作は、第１レバー３１を介してロック解除ノブ７に伝動される。したがって、ロック体３３の姿勢切り換えに連動して、ロック解除ノブ７を第１レバー３１を介して上方のロック位置へ復帰移動できる。
【００４３】
上記の状態では、図１に示すようにロック体３３の第２規制部４０が第２レバー３２の第１規制部３９で受け止められている。そのため、窓２を閉じ操作してスライドピン５を下降移動しようとしても、ロック体３３は第２レバー３２が邪魔になって揺動することができない。つまり、ロック体３３が一端ロック状態に切り換わってしまうと、ロック体３３をスライドピン５で時計回転方向へ揺動操作してロック解除位置へ戻すことはできず、ロック体３３は可逆切り換え不能となる。したがって、換気位置に開放した窓２が風で煽られるような場合でも、開放状態を保持して窓２が閉じ移動し、あるいは換気位置を越えて開放されるのを阻止できる。
【００４４】
窓２を閉じる場合には、ロック解除ノブ７を付勢ばね２６に抗して押し下げ操作する。ロック解除ノブ７の下方へのスライド動作は、第１レバー３１を介して第２レバー３２に伝動され、その結果、第２レバー３２は図１１に示すように揺動軸１６を中心にして時計回転方向へ揺動する。第２レバー３２の揺動に伴なって、第１規制部３９は第２規制部４０に対して滑り移動しながら、ロック体３３をロックばね３４の付勢力に抗して反時計回転方向へ揺動操作する。
【００４５】
さらに第２レバー３２が揺動して、第１規制部３９の側端が第２規制部４０を第４規制部４２の側へ乗り越えるのと同時に、ロック体３３はロックばね３４の付勢力でロック解除方向へ急速に揺動操作されて、図９に示すロック解除状態に切り換わる。このとき、スライドピン５はロック凹部４４の受動部４４ａで、ガイド溝１２の換気端から遠ざかる向きへ強制的に跳ね出し操作される。したがって、ロック解除されたスライドピン５がロック体３３で再び捕捉されるのを防止して、窓２を確実に閉じ操作できる。なお、ロック解除状態におけるロック体３３は、接当面４７がベース１０に設けたストッパー４６で受け止められて、ロック凹部４４の受動部４４ａがガイド溝１２の換気端に臨む状態で位置決めされている。
【００４６】
以上のように構成した窓換気用のステーによれば、スライドピン５がガイド溝１２に沿って換気位置へ移動するときのスライド動作でのみ、ロック体３３をロック状態に切り換えられてスライドピン５をロック体３３で移動不能に係合捕捉できる。また、ロック体３３がロック解除具７でロック解除状態に切り換えられる状態でのみ、スライドピン５を係合解除して、ロック解除具７およびロック体３３のそれぞれを可逆切り換え不能とすることができる。また、上記構成の窓換気用のステーによれば、開口枠１の縦枠と窓枠の開先部側の縦枠との間に窓換気用のステーを配置して、換気開放時の窓開量を規制できるので、窓２の大きさやメーカーの違いとは無関係に、全ての窓２に窓換気用のステーを適用できる利点がある。
【００４７】
図１２は本発明に係る窓換気用のステーの別の適用例を示す。左右幅が大きな窓２は図示していないヒンジで支持されて、建物の外へ向かって突出し開閉でき、窓２を閉じた状態ではハンドル錠３で開放不能に固定できる。窓２を換気位置で開放保持するために、窓２の左右両側と開口枠１との間に、上記の実施例で説明したステーを配置している。
【００４８】
左右幅が大きな窓２の場合には、両方のステーのロック解除ノブ７を両手で同時にロック解除操作するのが困難となる。しかし、ロック解除具７が可逆切り換え不能に構成してあるので、スライドピン５（牽制アーム４）のロック状態をロック解除具７で片方ずつ的確に解除して、その状態を維持することができる。したがって、左右幅が大きな窓２の左右両側に窓換気用のステーが設けてある場合でも、ロック解除具７を片方ずつロック解除操作した後、一人の使用者のみで窓２を的確に閉じ操作して、窓換気用のステーの使い勝手を向上できる。なお、窓２を換気位置へ開放するときは、左右のロック体３３を同時にロック状態に切り換えて、スライドピン５をロック体３３で自動的にロック保持できる。
【００４９】
図１３はロック機構の別の実施例を示す。そこでは、第１レバー３１を省略し、ロック解除具７を第２レバー３２と一体に設けるようにした。詳しくは、上記の実施例における第２レバー３２の上端に連続してＶ字状に屈曲するアーム体２７ａを設け、ガイド枠６の上面に露出するアーム体２７ａの傾斜部分にプラスチック製の操作つまみ２７ｂを固定してロック解除具７とした。ロック解除具７は図１３に実線で示すロック位置と、想像線で示すロック解除位置とに揺動変位できる。
【００５０】
このように、ロック解除具７を第２レバー３２と一体に設けて、第２レバー３２をロック解除具７で直接ロック解除操作できるように構成すると、第１レバー３１を省略でき、さらにロック解除具７の構造を簡素化できるので、その分だけ窓用換気ステーの全体コストを削減できる。他は先の実施例と同じであるので、同じ部材に同じ符号を付してその説明を省略する。なお、ロック解除具７は第２レバー３２と別体に設けることができ、その場合には、ロック解除具７を専用の揺動軸で揺動可能に支持したうえで、両者７・３２を長穴とピンを介して連結して、第２レバー３２をロック解除具７で直接ロック解除操作するとよい。
【００５１】
ロック解除具７はスライドノブ構造やレバー構造である必要はない。例えば、ガイド枠６の上端に押しボタンを配置しておき、ボタンの下向きの押し込み動作を第１レバー３１を介して第２レバー３２に伝えて、ロック体３３をロック解除操作することができる。第１〜第４の各規制部３９〜４２は、互いに接当する関係にあり、さらに対応する規制部どうしが滑りながら変位する構造であればよく、その形状は実施例で説明した形状には限定しない。第２レバー３２およびロック体３３は、それぞれ専用のロックばねで揺動付勢することができる。その場合のばねは、引っ張りばね以外に圧縮ばねやキックばねを使用することができる。
【００５２】
上記の実施例では、窓２が揺動開閉される場合について説明したが、本発明のステーは他の開閉構造を採る窓２にも適用できる。例えば、内倒れ窓や、窓２が滑り出しヒンジ（シックスバーヒンジ）で開閉支持してあるような場合でも、窓２の開先と開口枠１との間に本発明のステーを適用できる。操作ノブ２７には、その外端壁を利用して、その押し込み方向を示す矢印や文字表示などを付加することができる。
【図面の簡単な説明】
【００５３】
【図１】ロック機構の詳細を示す縦断面図である。
【図２】窓を換気開放した状態の窓換気用ステーの概略平面図である。
【図３】窓を換気開放した状態の窓換気用ステーの側面図である。
【図４】ロック機構の分解斜視図である。
【図５】図１におけるＡ−Ａ線断面図である。
【図６】図１におけるＢ−Ｂ線断面図である。
【図７】図１におけるＣ−Ｃ線断面図である。
【図８】ロック解除状態のロック機構を示す縦断面図である。
【図９】ロック解除状態に切り換わったロック機構の詳細を示す縦断面図である。
【図１０】ロック体がロック状態に切り換わる直前の状態を示す縦断面図である。
【図１１】ロック解除具によるロック体のロック解除動作を示す縦断面図である。
【図１２】ロック機構の別の適用例を示す正面図である。
【図１３】ロック機構の別の実施例を示す縦断面図である。
【符号の説明】
【００５４】
１  開口枠
２  窓
４  牽制アーム
５  スライドピン
６  ガイド枠
７  ロック解除具（ロック解除ノブ）
１２  ガイド溝
３１  第１レバー
３２  第２レバー
３３  ロック体
３４  ロックばね
３９  第１規制部
４０  第２規制部
４１  第３規制部
４２  第４規制部
４４  ロック凹部
【図１】
2010116696.tif 000003
【図２】
2010116696.tif 000004
【図３】
2010116696.tif 000005
【図４】
2010116696.tif 000006
【図５】
2010116696.tif 000007
【図６】
2010116696.tif 000008
【図７】
2010116696.tif 000009
【図８】
2010116696.tif 000010
【図９】
2010116696.tif 000011
【図１０】
2010116696.tif 000012
【図１１】
2010116696.tif 000013
【図１２】
2010116696.tif 000014
【図１３】
2010116696.tif 000015